(57)【特許請求の範囲】
【請求項１】
筒状の口部を有し、内部が内容物の収容空間となる容器本体と、
前記口部に嵌合する嵌合部、該嵌合部に連なり前記口部の内周側に垂設される筒状の本体筒部、及び該本体筒部の下部に設けられ前記収容空間内に延びる筒体部を有する栓体部材と、
前記口部の外周側に着脱可能に装着される装着キャップ部、該装着キャップ部によって前記本体筒部の内周側に保持されるポンプ部、及び該ポンプ部から上方にステムを介してノズルヘッドを有し、前記ノズルヘッドの押し下げにより前記ポンプ部に内容物を吸上げ、前記ノズルヘッドの吐出口から該内容物を吐出可能に構成されたポンプ機構部と、
前記ポンプ機構部を前記容器本体から取り外した状態で、前記本体筒部に挿入されて保持される筒状の挿入部を有し、該挿入部が、注入物を収容した注入容器の注出筒部を該挿入部の内周側に挿入可能に構成されているアタッチメントと、を備え、
前記本体筒部には、注入物を注入する際の流路となる貫通孔が形成され、
前記アタッチメントには、前記本体筒部下方の筒体部への流路を閉塞する蓋部と、前記貫通孔に連通する連通孔とが設けられている、吐出容器。
【請求項２】
前記ポンプ部は、前記本体筒部の内周側に保持された状態で該ポンプ部の外面が前記貫通孔を閉塞するよう構成されている、請求項１に記載の吐出容器。
【請求項３】
前記ポンプ部は、該ポンプ部の下端に接続筒部を有し、
前記栓体部材は、前記本体筒部の下方に連なる筒体部を有し、
前記接続筒部が、前記筒体部の上端部に内側から嵌合して接続されることにより前記ポンプ部の内部に設けられた液体流路と、前記筒体部の内部が連通している、請求項１又は２に記載の吐出容器。
【請求項４】
前記アタッチメントは、前記挿入部の上端部から径方向外側に延びるフランジ部を有する、請求項１〜３の何れか一項に記載の吐出容器。
【請求項５】
前記フランジ部の外径が、前記口部よりも大きい、請求項４に記載の吐出容器。
【発明の詳細な説明】
【技術分野】
【０００１】
本発明は、ノズルヘッドの押し下げによりポンプ機構を介して内容物を吐出する吐出容器に関し、特には、他の注入容器から液体を容器本体に注入してから使用する吐出容器に関する。
【背景技術】
【０００２】
従来、化粧料等の内容物を収容し、ノズルヘッドの押し下げによりポンプ機構を作動させて、ノズルヘッドの吐出口から内容物を吐出させる容器が知られている。このような容器としては、例えば、ボトル状の容器本体の口部に対して、ノズルヘッドを備えたポンプ機構部、及びポンプ機構部の下端に設けた吸上げパイプを備えた構成がある（特許文献１参照）。
【先行技術文献】
【特許文献】
【０００３】
【特許文献１】特開平８−１１９５７号公報
【発明の概要】
【発明が解決しようとする課題】
【０００４】
ところで、例えば、化粧水等にブースター（導入液）を混合して使用する場合や、毛染め用液として２種類の薬剤を混合して使用する場合など、内容物が複数種類の液体の混合物であることがある。そして、このような混合された液体の多くは、時間と共に効果や性質が次第に変化するために使用の直前に作成する必要がある。このため、上記のような吐出容器を用いて混合液体を吐出する場合には、使用の直前にポンプ機構部を吸上げパイプとともに容器本体から取り外して、他の注入容器に収容された液体（注入物）を容器本体に注入して混合液体を作成する必要がある。
【０００５】
しかしながら、容器本体の口部は小径で注入物の注入が難しく、注入過程で注入物がこぼれたり、手に付着したりする虞がある。また、内容物を全て吐出し終えた後で、内容物を再度充填して使用する場合にも、ポンプ機構部を容器本体から取り外す必要があるため、ポンプ機構部の外面や吸上げパイプに付着した内容物が飛散したり、テーブル等に置く際に、当該テーブル等の載置面に内容物が付着したりする虞がある。
【０００６】
それゆえ本発明は、容器本体に、他の注入容器から液体を注入して使用する押し下げポンプ式の吐出容器において、他の注入容器からの液体注入作業を安定した状態で行うことができ、容器本体からポンプ機構部を取外した際に、内容物が外部に飛散したり、載置面に付着したりし難い構成の吐出容器を提供することを目的とするものである。
【課題を解決するための手段】
【０００７】
本発明は、上記課題を解決するためになされたものであり、本発明の吐出容器は、筒状の口部を有し、内部が内容物の収容空間となる容器本体と、
前記口部に嵌合する嵌合部、該嵌合部に連なり前記口部の内周側に垂設される筒状の本体筒部、及び該本体筒部の下部に設けられ前記収容空間内に延びる筒体部を有する栓体部材と、
前記口部の外周側に着脱可能に装着される装着キャップ部、該装着キャップ部によって前記本体筒部の内周側に保持されるポンプ部、及び該ポンプ部から上方にステムを介してノズルヘッドを有し、前記ノズルヘッドの押し下げにより前記ポンプ部に内容物を吸上げ、前記ノズルヘッドの吐出口から該内容物を吐出可能に構成されたポンプ機構部と、
前記ポンプ機構部を前記容器本体から取り外した状態で、前記本体筒部に挿入されて保持される筒状の挿入部を有し、該挿入部が、注入物を収容した注入容器の注出筒部を該挿入部の内周側に挿入可能に構成されているアタッチメントと、を備えることを特徴とするものである。
【０００８】
なお、本発明の吐出容器にあっては、前記本体筒部には、注入物を注入する際の流路となる貫通孔が形成され、
前記アタッチメントには、前記本体筒部下方の筒体部への流路を閉塞する蓋部と、前記貫通孔に連通する連通孔とが設けられていることが好ましい。
【０００９】
また、本発明の吐出容器にあっては、前記ポンプ部は、前記本体筒部の内周側に保持された状態で該ポンプ部の外面が前記貫通孔を閉塞するよう構成されていることが好ましい。
【００１０】
また、本発明の吐出容器にあっては、前記ポンプ部は、該ポンプ部の下端に接続筒部を有し、
前記栓体部材は、前記本体筒部の下方に連なる筒体部を有し、
前記接続筒部が、前記筒体部の上端部に内側から嵌合して接続されることにより前記ポンプ部の内部に設けられた液体流路と、前記筒体部の内部が連通していることが好ましい。
【００１１】
また、本発明の吐出容器にあっては、前記アタッチメントは、前記挿入部の上端部から径方向外側に延びるフランジ部を有することが好ましい。
【００１２】
また、本発明の吐出容器にあっては、前記フランジ部の外径が、前記口部よりも大きいことが好ましい。
【発明の効果】
【００１３】
本発明によれば、容器本体に、他の注入容器から液体を注入して使用する押し下げポンプ式の吐出容器において、他の注入容器からの液体注入作業を安定した状態で行うことができ、容器本体からポンプ機構部を取外した際に、内容物が外部に飛散したり、載置面に付着したりし難い構成の吐出容器を提供することができる。
【図面の簡単な説明】
【００１４】
【図１】本発明の一実施形態に係る吐出容器を一部断面で示す側面図である。
【図２】図１の吐出容器の流通時の状態を示す図である。
【図３】図２の容器本体からカバーキャップを取り外し、個容器内の液体を注入する様子を示す図である。
【発明を実施するための形態】
【００１５】
以下、図面を参照して、本発明をより具体的に例示説明する。
【００１６】
図１に示すように、本発明の一実施形態である吐出容器１は、使用状態において、容器本体１０と、容器本体１０に抜け止め保持される栓体部材２０と、容器本体１０に着脱自在に装着されるポンプ機構部３０と、を備えている。吐出容器１は、２種類以上の液体を混合した混合液体を吐出する容器として用いることができる。図２は、吐出容器１の流通時の状態の一例を示しており、栓体部材２０が装着された容器本体１０の口部１１にカバーキャップ４０が取付けられ、収容空間Ｓに例えば化粧水等の第１液体のみが収容されている。図３は、図２の状態からカバーキャップ４０を取り外した容器本体１０に、アタッチメント５０を取付け、注入容器６０から、第１液体とは異なる例えばブースター（導入液）等の第２液体を注入する様子を示している。なお、吐出容器１は、液体の入っていない容器本体１０に、アタッチメント５０を介して注入容器６０から１種類の液体のみを注入して使用することも可能である。また、吐出容器１は、３種類以上の液体を混合して使用することも可能である。
【００１７】
図１に示すように、容器本体１０は、円筒状の口部１１と、口部１１の下方に連なる胴部１２と、胴部１２の下端部を閉塞する底部１３を有するボトル形状であり、内部が内容物の収容空間Ｓとなっている。口部１１の外周面には雄ねじ１１ａが一体に設けられており、雄ねじ１１ａの上方には、栓体部材２０を抜け止め保持するための嵌合凸部１１ｂが設けられている。なお、嵌合凸部１１ｂが設けられた口部１１の上端部は他の部分よりも外形が小径となっており、栓体部材２０の一部が入り込む構成となっている。なお、ボトル形状であれば容器本体１０は必ずしも円筒形である必要はなく、例えば胴部１２の断面が多角形や楕円形であってもよい。なお、図２に示すように、内容物を効率よく撹拌するための撹拌ボール１４を収容空間Ｓ内に配置することも可能である。
【００１８】
栓体部材２０は、口部１１に嵌合する嵌合部２１と、嵌合部２１に連なり、口部１１の内周側に垂設される本体筒部２２と、本体筒部２２の下部に連なり、吸上げパイプ２３を保持する筒状の筒体部２４とを有する。なお、吸上げパイプ２３を設けずに、筒体部２４が容器本体１０の底部付近まで延在して吸上げパイプ２３の役割を果たす構成としてもよい。
【００１９】
嵌合部２１は、口部１１の上端部の外周側に位置する外嵌合筒２１ａと、外嵌合筒２１ａ及び本体筒部２２を連結する環状の連結壁２１ｂとを有する。外嵌合筒２１ａの内周面には、嵌合凸部１１ｂと係合する爪部２１ｃが設けられている。これにより、嵌合部２１が口部１１の上端部にアンダーカット係合し、栓体部材２０が口部１１に抜け止め保持されている。
【００２０】
本体筒部２２は、口部１１の内周面に当接する上端部から下方に向かって段階的に外径が小さくなっており、筒体部２４は本体筒部２２の下端部の段部を介してさらに小径となっている。本体筒部２２の下端部（段部）付近には、注入物の流路となる貫通孔２５が設けられている。また、本体筒部２２には、注入物を注入する際に収容空間Ｓ内の空気を外部に排出するための小孔２２ａが設けられており、小孔２２ａから、後述するアタッチメント５０の溝部５３ａを介して空気が外部に排出される構成としている。筒体部２４の内周面には、吸上げパイプ２３を筒体部２４の下端開口から挿入して装着する際のストッパーとなる内向き凸部２４ａが設けられている。
【００２１】
ポンプ機構部３０は、栓体部材２０が予め装着された容器本体１０に対して着脱可能に装着されるものである。ポンプ機構部３０は、口部１１の外周側に着脱可能に装着される装着キャップ部３１と、栓体部材２０の本体筒部２２の内周側に配置されるポンプ部３２と、ポンプ部３２から上方に延びるステム３２ａに設けられたノズルヘッド３３とを備える。尚、ポンプ部３２ついては、従来技術の吸上げ機構等を使用することができる。
【００２２】
本実施形態において装着キャップ部３１は、内側の内筒部材３１ａと、外側の外筒部材３１ｂ（装飾部材）とを組み合わせたものである。内筒部材３１ａの内周面には、口部１１の雄ねじ１１ａに係合する雌ねじ３１ｃが設けられている。また、内筒部材３１ａには、雌ねじ３１ｃの上方で径方向内側に突出する管状の内向きフランジ３１ｄを有する。
【００２３】
ポンプ部３２は、内向きフランジ３１ｄの下方で内筒部材３１ａの内周面に嵌合保持される外向きフランジ３２ｂを有する。これにより、ポンプ部３２は、装着キャップ部３１に抜け止め保持され、装着キャップ部３１を口部１１から取り外すと、装着キャップ部３１とともに容器本体１０から取外される。外向きフランジ３２ｂの下方には、管状のシール部材３４がポンプ部３２の外周面に嵌合して保持されている。
【００２４】
ポンプ部３２の下端には、接続筒部３２ｃが設けられている。接続筒部３２ｃは、図１に示すように筒体部２４の上端部に内側から嵌合して、ポンプ部３２内の液体流路が筒体部２４に接続されている。これにより、ポンプ部３２内の液体流路が接続筒部３２ｃ及び筒体部２４を介して、吸上げパイプ２３の内部に連通する構成となっている。なお、図１に示すように、ポンプ機構部３０を容器本体１０に装着した状態においてポンプ部３２の外面が貫通孔２５を閉塞している。ポンプ部３２の側壁３２ｄには、空気を通過させる通気孔３２ｅが形成されており、内容物を吐出する際に、通気孔３２ｅ及び小孔２２ａを介して容器本体１０内に外部の空気を取り込むことができる。
【００２５】
ノズルヘッド３３は、前方に延びるノズル３５を有し、ノズル３５の先端に吐出口３５ａが設けられている。ノズルヘッド３３を押し下げることによりステム３２ａがポンプ部３２に押し込まれ、ポンプ部３２内のポンプ機構が作用して、収容空間Ｓ内の内容物が吸上げパイプ２３を介して吸上げられて、吐出口３５ａから排出される、
【００２６】
ここで、本実施形態の吐出容器１は、流通時には、図２に示すようにポンプ機構部３０の代わりに、カバーキャップ４０を装着した状態で運搬、保管等することができる。
【００２７】
カバーキャップ４０は、口部１１の外周側に配置される外周壁４１と、外周壁４１の上端部から内側に延びる環状壁４２と、環状壁４２の内縁から垂下し、本体筒部２２の内周側に配置される内周壁４３と、内周壁４３の下端を塞ぐ底壁４４と、底壁４４から下方に突出する閉塞部４５とを有している。外周壁４１の内周面には、口部１１の雄ねじ１１ａに係合する雌ねじ４１ａが設けられている。
【００２８】
内周壁４３は、本体筒部２２の内周面に沿った形状となっており、内周壁４３の外面が、本体筒部２２の小孔２２ａ及び貫通孔２５を覆っている。これにより、カバーキャップ４０の内面に内容物が付着し難くなり、カバーキャップ４０を取り外してテーブル等に置く際に、載置面に内容物が付着し難い構成となっている。閉塞部４５は、筒体部２４の上端部に内側から嵌合して、底壁４４とともに筒体部２４の上端開口を閉塞している。
【００２９】
図３は、注入容器６０に収容された液体を容器本体１０の収容空間Ｓに注入する様子を示している。なお、このような注入作業は、図２に示す未使用の状態から初めて使用する直前や、内容物を全て吐出した使用後の容器本体１０に、内容物を再充填する際に行われる。
【００３０】
図３に示すように、アタッチメント５０は、ポンプ機構部３０を容器本体１０から取り外した状態で本体筒部２２に挿入可能な筒状の挿入部５１を有する。またアタッチメント５０は、挿入部５１の下端部に設けられて筒体部２４の上端開口を閉塞する蓋部５２と、挿入部５１の上端部から径方向外側に延びるフランジ部５３と、を有する。
【００３１】
挿入部５１は、本体筒部２２の内周面に沿うように配置される外壁５１ａと、外壁５１の内周側に設けられた内壁５１ｂとを有し、挿入部５１の下端部には、挿入部５１の内部空間を貫通孔２５に連通させる連通孔５１ｃが設けられている。挿入部５１は、外壁５１ａの外周面が本体筒部２２の内周面に当接するとともに、フランジ部５３の下面が栓体部材２０の連結壁２１ｂの上面に当接することで位置決めされ、取付け姿勢が安定する。挿入部５１は、その上端開口から注入容器６０の注出筒部６１を挿入可能としている。挿入部５１の内壁５１ｂが、注出筒部６１の先端部６１ａに外側から当接することにより、注入容器６０がアタッチメント５０に対して安定した姿勢で保持される。フランジ部５３の下面には、空気の流路を形成する溝部５３ａが設けられている。
【００３２】
注入容器６０は、注出筒部６１及び本体部６２を有するチューブ形状の容器であり、内部には、例えば、予め容器本体１０に収容された液体に混合するための、異なる種類の液体が収容されている。なお、注入容器６０の形状は、挿入部５１に挿入可能な注出筒部を備えていれば、チューブ形状に限定されず、例えばボトル状や袋状等であってもよい。
図３に示すようにアタッチメント５０に注入容器６０を取付けた状態で、注入容器６０に収容された液体を注出筒部６１の先端開口から注出させることで、連通孔５１ｃ及び貫通孔２５を介して、収容空間Ｓに注入することができる。なお、この際、アタッチメント５０の蓋部５２が筒体部２４の上端開口を閉塞しているため、注入容器６０から注出された液体が、吸上げパイプ２３内に入り込むことがない。このため、注入容器６０から注出された液体を、予め収容空間Ｓに収容された液体に接触させることができるので、吐出容器１の使用初期において注入容器６０からの液体のみが吐出される可能性を低くすることができる。
【００３３】
注入容器６０からの液体注入が終了した後、注入容器６０及びアタッチメント５０を容器本体１０から取り外して図１に示すようにポンプ機構部３０を取付け、吐出容器１を振ると、撹拌ボール１４の働きにより効率的に液体が混合され、内容物を吐出可能な状態となる。
【００３４】
以上のような構成を有する吐出容器１にあっては、栓体部材２０を装着した状態の容器本体１０に、アタッチメント５０及び注入容器６０を安定した姿勢で取付け可能な構成としたことにより、注入容器６０に収容された液体を容器本体１０の収容空間Ｓに容易かつ安全に注入することができる。また、栓体部材２０に吸上げパイプ２３を設けるとともに、栓体部材２０の内周側にポンプ部３２が配置される構成としたことにより、ポンプ機構部３０の外面には内容物が付着し難い。このため、容器本体１０からポンプ機構部３０を取外した際に、内容物が外部に飛散したり、テーブル等の載置面に付着したりすることを低減することができる。また、栓体部材２０の貫通孔２５をポンプ部３２の外面で塞ぐように覆う構成としているため、内容物が貫通孔２５を介してポンプ部３２外面の広い範囲に付着することを抑制することができる。
【００３５】
また、吐出容器１にあっては、栓体部材２０の本体筒部２２に設けた貫通孔２５を介して収容空間Ｓに液体を注入する構成としているため、吸上げパイプ２３を介して液体を注入する場合に比べて、スムーズに液体を注入することができる。また、貫通孔２５よりも上方で本体筒部２２に空気排出用の小孔２２ａを設けたことにより、よりスムーズな液体注入が可能となる。
【００３６】
アタッチメント５０にフランジ部５３を設けたことにより、注入容器６０をアタッチメント５０に取付ける際に、注入容器６０から流出した液体が容器本体１０に垂れて付着することを抑制することができる。また、フランジ部５３を把持しながら注入容器６０の取り付け等を行うことにより、容器本体１０及びアタッチメント５０の姿勢が安定して、注入容器６０の取付けや取外しを含めた液体注入作業が容易となり、容器本体１０が倒れる虞も軽減することができる。また、フランジ部５３は、口部１１の外径よりも直径が大きいことが好ましく、これによれば、口部１１付近に注入容器６０の液体が垂れ難くなり、また、フランジ部５３を把持し易くなり、液体注入作業がさらに容易となる。
【００３７】
本発明は前記実施の形態に限定されるものではなく、その要旨を逸脱しない範囲で種々変更可能であることはいうまでもない。例えば、上記実施形態においては、容器本体１０の口部１１に装着キャップ部３１をねじ結合させる構成としていたが、これに限られず、口部１１に爪部等のアンダーカット係合により、着脱可能に装着される構成としてもよい。
【符号の説明】
【００３８】
１  吐出容器
１０  容器本体
１１  口部
１１ａ  雄ねじ
１１ｂ  嵌合凸部
１２  胴部
１３  底部
１４  撹拌ボール
２０  栓体部材
２１  嵌合部
２１ａ  外嵌合筒
２１ｂ  連結壁
２１ｃ  爪部
２２  本体筒部
２２ａ  小孔
２３  吸上げパイプ
２４  筒体部
２４ａ  内向き凸部
２５  貫通孔
３０  ポンプ機構部
３１  装着キャップ部
３１ａ  内筒部材
３１ｂ  外筒部材
３１ｃ  雌ねじ
３１ｄ  内向きフランジ
３２  ポンプ部
３２ａ  ステム
３２ｂ  外向きフランジ
３２ｃ  接続筒部
３２ｄ  側壁
３２ｅ  通気孔
３３  ノズルヘッド
３４  シール部材
３５  ノズル
３５ａ  吐出口
４０  カバーキャップ
４１  外周壁
４１ａ  雌ねじ
４２  環状壁
４３  内周壁
４４  底壁
４５  閉塞部
５０  アタッチメント
５１  挿入部
５１ａ  外壁
５１ｂ  内壁
５１ｃ  連通孔
５２  蓋部
５３  フランジ部
５３ａ  溝部
６０  注入容器
６１  注出筒部
６１ａ  先端部
６２  本体部
Ｓ  収容空間
【図１】
0006587550.tif 000002
【図２】
0006587550.tif 000003
【図３】
0006587550.tif 000004